(57)【要約】【課題】  カウンター形式の食堂の配置構造であって、荷物を意識しながら食事をする必要がなくかつ荷物の置き忘れを防止することができる食堂の配置構造を提供する。【解決手段】  食堂１０の配置構造は、カウンター１２と、カウンター１２に対向して複数配置された椅子２０と、を備えている。椅子２０は、脚３２と座部３４とを有する椅子本体３０と、座部３４下方に摺動自在に設けられた移動台２２と、を有している。移動台２２は、座部３４下方の収納位置と座部３４下方から側方に突出する突出位置との間を移動可能となっている。【選択図】  図１
2006197995.tif 000002
【特許請求の範囲】
【請求項１】
カウンターと、
カウンターに対向して配置された複数の椅子と、を備え、
椅子は、脚と座部とを有する椅子本体と、座部下方に摺動自在に設けられた移動台と、を有し、
移動台は、座部下方の収納位置と座部下方から側方に突出する突出位置との間を移動可能となっていることを特徴とする食堂の配置構造。
【請求項２】
移動台は側方のうちどちらか一方のみに突出し、隣接する椅子において移動台が突出する方向は同一であることを特徴とする請求項１に記載の食堂の配置構造。
【請求項３】
移動台は側方のうちどちらか一方のみに突出し、椅子本体の側方のうち移動台が突出しない側に側部が設けられていることを特徴とする請求項１または２に記載の食堂の配置構造。
【請求項４】
移動台は、椅子本体の座部下面に設けられたレールを介し、座部下面に摺動自在に設けられていることを特徴とする請求項１乃至３のいずれか一項に記載の食堂の配置構造。
【発明の詳細な説明】
【技術分野】
【０００１】
本発明は、カウンターを備えた食堂の配置構造に係り、とりわけ、荷物置き場を有するとともに荷物の置き忘れを防止することができる椅子を備えた食堂の配置構造に関する。
【背景技術】
【０００２】
従来、カウンターと、カウンターに対向して配置された複数の椅子と、を備えた食堂の配置構造が広く用いられてきた。そして、通常このような配置構造においては、カウンターのテーブル下方に荷物置き棚が設けられている。
【０００３】
しかしながら、カウンターのテーブル下方に設けられた荷物置き棚に荷物が置かれた場合、荷物の持ち主が食事をしている間、さらには持ち主が立ち上がって椅子から離れる際にも、荷物は持ち主の視界に入らない。したがって、持ち主が店から出て行く際に荷物を置き忘れて行ってしまうことが頻繁に生ずる。
【発明の開示】
【発明が解決しようとする課題】
【０００４】
このような荷物の置き忘れを回避するため、カウンターのテーブル下方に設けられた荷物置き棚であって、奥行きを短くした荷物置き棚も開発されている。このような荷物置き棚を用いた場合、カウンターのテーブル下方に設けられた荷物置き棚と、椅子に座った持ち主の大腿部とによって荷物を支持するようになる。この場合、持ち主は椅子に座っている間、荷物が落下しないように常に注意を払うことになり、これにより、荷物の置き忘れを防止することができる。しかしながら、このように荷物を意識しながら食事をする場合、落ち着いて食事を十分に堪能することができないという不具合が生じてしまう。
【０００５】
本発明はこのような点を考慮してなされたものであり、カウンター形式の食堂の配置構造であって、荷物を意識しながら食事をする必要がなくかつ荷物の置き忘れを防止することができる食堂の配置構造を提供することを目的とする。
【課題を解決するための手段】
【０００６】
本発明は、カウンターと、カウンターに対向して複数配置された椅子と、を備え、椅子は、脚と座部とを有する椅子本体と、座部下方に摺動自在に設けられた移動台と、を有し、移動台は、座部下方の収納位置と座部下方から側方に突出する突出位置との間を移動可能となっていることを特徴とする食堂の配置構造である。
【０００７】
本発明は、移動台は側方のうちどちらか一方のみに突出し、隣接する椅子において移動台が突出する方向は同一であることを特徴とする食堂の配置構造である。
【０００８】
本発明は、移動台は側方のうちどちらか一方のみに突出し、椅子本体の側方のうち移動台が突出しない側に側部が設けられていることを特徴とする食堂の配置構造である。
【０００９】
本発明は、移動台は、椅子本体の座部下面に設けられたレールを介し、座部下面に摺動自在に設けられていることを特徴とする食堂の配置構造である。
【発明の効果】
【００１０】
本発明によれば、荷物の持ち主が椅子から離れる際に、移動台に載置された荷物が持ち主の視界に入るので、荷物を置き忘れてしまうことを格段に抑制することができる。また、持ち主が荷物に注意を払いながら食事をする必要はない。
【発明を実施するための最良の形態】
【００１１】
以下添付図面を参照して本発明の実施の形態について説明する。
【００１２】
図１乃至図６は本発明による食堂の配置構造の一実施の形態を示す図である。このうち図１は食堂１０の配置構造を示す平面図であり、図２は図１におけるＩＩ−ＩＩ線に沿った断面図であり、図３は椅子２０を示す上面図であり、図４は椅子２０を示す正面図であり、図５は椅子２０を示す側面図であり、図６は椅子本体３０と移動台２２との関係を示す図である。
【００１３】
図１および図２に示すように、本実施の形態による食堂１０の配置構造は、カウンター１２と、カウンター１２に対向して配置された複数の椅子２０と、を備えている。
【００１４】
図１に示すように、このうちカウンター１２は略Ｌ事情の第１カウンター１２ａと、Ｉ字状の第２カウンター１２ｂとからなっている。そして、第１カウンター１２ａの前面には計８個の椅子２０が配置され、第２カウンター１２ｂの前面には計３個の椅子２０が配置されている。図２に示すように、カウンター１２はテーブル１４と足置き１６とを有している。
【００１５】
次に、椅子２０について説明する。
【００１６】
図２乃至図５に示すように、椅子２０は、４本の脚３２と座部３４と背部３６とを有する椅子本体３０と、座部３４下方に摺動自在に設けられた矩形平板状の移動台２２と、を有している。
【００１７】
椅子本体３０の座部３４下面にはレール３８が設けられている。図２および図６に示すようにレール３８は内方に向けて開口した断面略矩形状の溝３８ａを有し、このレール３８の溝３８ａ内に移動台２２の縁部２２ａが入り込むようになっている。そして、レール３８の溝３８ａと移動台２２の縁部２２ａとを係合させながら、移動台２２は椅子本体３０に対して摺動し、座部３４下方の収納位置（図３に二点鎖線で示す位置）と、座部３４下方から側方に突出した突出位置（図３に実線で示す位置）との間を移動することができるようになっている。
【００１８】
また、図３に示すように、本実施の形態において、レール３８は、移動台２２を収納位置において三方から支持する三方枠からなっている。したがって、移動台２２は座部３４下方から一方の側方のみにしか突出することができない。そして、図１に示すように、すべての椅子２０において、移動台２２が突出する方向は同一であり、移動台２２は椅子２０に座った者から見て右方向（図３および図４の紙面における左方向）にしか突出することができないようになっている。したがって、図１に示すように、隣接する椅子２０の移動台２２同士が接触してしまうことを防止することができる。また、レール３８が三方枠からなっているので、図５に示すように、移動台２２が突出しない側の側方からは、移動台２２が見えないようになっており、美観的にも好ましい。
【００１９】
また、図２乃至４および図６に示すように、移動台２２の移動方向前方側となる縁部、すなわち、収納位置においてもレール３８と接触しない側の縁部には、取手として機能する把持部２４が設けられている。
【００２０】
次にこのような構成からなる本実施の形態の作用について説明する。
【００２１】
このような椅子２０に座って食事をする者は、移動台２２を椅子本体３０に対して側方に摺動させ、収納位置から突出位置に引き出すことにより、移動台２２上に荷物置き場を確保することができる。そして、荷物２を荷物置き場に安定して載置することができ、また荷物２を自分の近くに載置することができるので、荷物の持ち主（食事をする者）は、荷物２が落下しないか否か、または荷物２が盗難されないか否か等を心配することなく食事をとることができる。
【００２２】
そして、荷物の持ち主が食事を終えて椅子２０から立ち上がる際、または立ち上がった後、移動台２２上に載置された荷物２が荷物の持ち主の視界に入る。したがって、荷物の持ち主が食堂１０に荷物を忘れてしまうことを格段に抑制することができる。
【００２３】
なお、本実施の形態において、移動台２２は一方の側方のみに突出し、隣接する椅子２０において移動台２２が突出する方向は同一となっている。したがって、隣接する椅子２０の移動台２２同士が接触してしまうようなことはない。
【００２４】
また、食堂１０の繁忙期において隣接する椅子２０が使用されかつ隣接する椅子２０の移動台２２が突出位置にあるような場合、荷物の持ち主は、自分が座っていた椅子２０の移動台２２が突出する側の側方から椅子を離れることになる。カウンター形式の食堂１０において隣接する椅子２０間の間隔はもともと狭いため、移動台２２が突出している場合には椅子２０間を通り抜けることが困難となるからである。この場合、荷物の持ち主は、移動台２２に載置された自分の荷物２を手に取り、そして移動台２２を突出位置から収納位置に戻した後に、椅子２０から立ち上がることになる。したがって、このような状況下では、荷物の持ち主が荷物２を置き忘れてしまう可能性は大幅に低減される。さらに、食堂１０の従業員が次に食事をする者を迎えるため、都度移動台２２を突出位置から収納位置に戻す手間を省くことができる。
【００２５】
以上のように本実施の形態によれば、荷物の持ち主が椅子２０から離れる際に、移動台２２に載置された荷物２が持ち主の視界に入るので、荷物２を置き忘れてしまうことを格段に抑制することができる。また、荷物２は椅子本体２０の座部３４下方から側方に突出した移動台２２に安定して保持されているので、持ち主が荷物２に注意を払いながら食事をする必要はない。したがって、荷物の持ち主は落ち着いて十分に食事を堪能することができる。
【００２６】
また、本実施の形態によれば、移動台２２は側方のうちどちらか一方のみに突出し、隣接する椅子２０において移動台２２が突出する方向は同一となっているので、隣接する椅子２０の移動台２２同士が接触してしまうことを防止することができる。また、隣接する椅子２０の移動台２２が突出位置にある場合、荷物の持ち主は、自分が座っていた椅子２０の移動台２２が突出する側の側方から椅子２０を離れることになる。したがって、移動台２２に載置された荷物２を手に取り移動台２２を収納位置に戻した後に、椅子２０から立ち上がることになる。これにより、荷物２を忘れてしまうことを防止することができ、また食堂１０の店員が都度移動台２２を収納位置に戻す手間を省くことができる。
【００２７】
なお、本実施の形態において、椅子本体３０が４本の脚３２と座部３４と背部３６とを有する例を示したが、これに限られない。例えば、図７および図８に示すように、椅子本体３０がさらに側部４０を有するようにしてもよい。以下、図７および図８に示す変形例について説明する。
【００２８】
なお、図７および８に示す変形例は、椅子本体３０が側部４０を有することにおいて図１乃至図６に示す実施の形態と異なり、他は略同一である。図７および図８において、図１乃至６に示す実施の形態と同一部分には同一符号を付して詳細な説明は省略する。
【００２９】
なお、図７は椅子２０を示す上面図であり、図８は椅子２０を示す正面図である。
【００３０】
図７および図８に示す椅子においても、移動台２２は一方の側方のみに突出するようになっている。そして、椅子本体３０の側方のうち移動台２２が突出しない側に側部４０が設けられている。なお、本変形例において、この側部４０は背部３６と一体に形成された金属製パイプからなっている。
【００３１】
このような変形例においては、側部４０が設けられている側の側方からよりも、側部４０が設けられていない側の側方から、椅子２０に座ったりまたは椅子２０から立ち上がって椅子２０から離れたりする方がスムースな動作となる。とりわけ、椅子２０とカウンター１２との相対位置が固定されている配置構造においては、側部４０が設けられている側の側方から、椅子２０に座ったりまたは椅子２０から立ち上がって椅子２０から離れたりすることが不可能である場合もある。したがって、荷物の持ち主は側部４０が設けられていない側の側方、すなわち移動台２２が突出することができる側の側方から椅子２０を離れることになる。この場合、移動台２２に載置された荷物２を手に取り移動台２２を収納位置に戻した後に、椅子２０から立ち上がることになる。これにより、荷物２を忘れてしまうことを防止することができ、また食堂１０の従業員が都度移動台２２を収納位置に戻す手間を省くことができる。
【００３２】
なお、当然のことながら、このような側部４０は肘掛けとして機能し、また背部３６とともに転落防止部材としても機能する。
【図面の簡単な説明】
【００３３】
【図１】本発明による食堂の配置構造の一実施の形態を示す平面図。
【図２】図１におけるＩＩ−ＩＩ線に沿った断面図。
【図３】椅子を示す上面図。
【図４】椅子を示す正面図。
【図５】椅子を示す側面図。
【図６】椅子本体と移動台との関係を示す図。
【図７】本実施の形態の変形例における椅子を示す上面図。
【図８】本実施の形態の変形例における椅子を示す正面図。
【符号の説明】
【００３４】
１０  食堂
１２  カウンター
２０  椅子
２２  移動台
３０  椅子本体
３２  脚
３４  座部
３８  レール
４０  側部
【図１】
2006197995.tif 000003
【図２】
2006197995.tif 000004
【図３】
2006197995.tif 000005
【図４】
2006197995.tif 000006
【図５】
2006197995.tif 000007
【図６】
2006197995.tif 000008
【図７】
2006197995.tif 000009
【図８】
2006197995.tif 000010